(57)【要約】【課題】  ＭＦＰに搭載されたスライドショー機能を、ＭＦＰの持つ様々な機能と結び付け、操作性を向上させることができる画像処理装置を提供することを目的とする。【解決手段】  記憶媒体から複数の画像データを順次読み出す読出手段と、上記読み出し手段から読み出された画像データを、表示手段に順次表示する表示制御手段と、上記表示手段に表示中の画像データについて、操作部から所定の処理を実行するように設定する処理設定手段と、上記表示中の画像データと、上記処理設定手段によって設定された所定の処理とを関連付けて登録する画像登録手段と、上記表示制御手段による画像データの順次表示が終了した場合、上記画像登録手段が登録した画像を検索する検索手段と、上記検索手段が検索した画像に対して、上記所定の処理を実行するように制御する制御手段とを有する画像処理装置である。【選択図】  図１
2006115016.tif 000002
【特許請求の範囲】
【請求項１】
記憶媒体から複数の画像データを順次読み出す読出手段と；
画像を表示する表示手段と；
上記読み出し手段から読み出された画像データを、上記表示手段に順次表示する表示制御手段と；
操作部と；
上記表示手段に表示中の画像データについて、上記操作部から所定の処理を実行するように設定する処理設定手段と；
上記表示中の画像データと、上記処理設定手段によって設定された所定の処理とを関連付けて登録する画像登録手段と；
上記表示制御手段による画像データの順次表示が終了した場合、上記画像登録手段が登録した画像を検索する検索手段と；
上記検索手段が検索した画像に対して、上記所定の処理を実行するように制御する制御手段と；
を有することを特徴とする画像処理装置。
【請求項２】
請求項１において、
上記検索手段が検索した画像データについて、上記操作部を介して、所定の処理を実行するための条件を設定する条件設定手段を有し、
上記制御手段は、上記表示手段による画像データの順次表示が終了した後に、上記条件設定手段を有効にし、上記操作部によって画像データについて条件設定が行われた場合に、上記所定の処理を実行するように制御する手段であることを特徴とする画像処理装置。
【請求項３】
請求項２において、
上記表示制御手段が行う画像データの順次表示を、一時停止する順次表示停止手段を有し、
上記制御手段は、上記順次表示停止手段が順次表示を一時停止した時点で、上記処理設定手段と上記条件設定手段とを有効にし、上記表示手段に表示中の画像データついて、所定の処理と条件設定とを行った後に、上記処理設定手段と上記条件設定手段とを無効にし、上記順次表示停止手段による順次表示を再開するように制御する手段であることを特徴とする画像処理装置。
【請求項４】
請求項３において、
上記順次表示停止手段が一時停止している順次表示の再開を指示する表示再開手段を有し、
上記制御手段は、上記表示再開手段が順次表示を指示したことに応じて、順次表示を再開する手段であることを特徴とする画像処理装置。
【請求項５】
請求項１において、
上記所定の処理を解析する解析手段を有し、
上記制御手段は、上記解析手段が解析した結果に応じて、所定の処理を実行する手段であることを特徴とする画像処理装置。
【請求項６】
請求項１において、
画像データを印刷する印刷手段を有し、
上記制御手段は、上記解析手段が解析した所定の処理が印刷指示である場合、上記所定の処理と関連付けられている画像データを、上記印刷手段が印刷するように制御する手段であることを特徴とする画像処理装置。
【請求項７】
請求項１において、
画像データを消去する消去手段を有し、
上記制御手段は、上記解析手段が解析した所定の処理が、消去指示である場合、上記所定の処理と関連付けられている画像データを、上記消去手段が、上記記憶媒体から消去するように制御する手段であることを特徴とする画像処理装置。
【請求項８】
請求項１において、
外部機器と通信する通信手段を有し、
上記制御手段は、上記解析手段が解析した所定の処理が送信指示である場合、上記所定の処理と関連づけられている画像データを、上記通信手段が送信するように制御する手段であることを特徴とする画像処理装置。
【請求項９】
記憶媒体から複数の画像データを順次読み出す読出工程と；
上記読み出し工程で読み出された画像データを、表示部に順次表示する表示制御工程と；
上記表示部に表示中の画像データについて、操作部から所定の処理を実行するように設定する処理設定工程と；
上記表示中の画像データと、上記処理設定工程で設定された所定の処理とを関連付けて登録する画像登録工程と；
上記表示制御工程で画像データの順次表示が終了した場合、上記画像登録工程が登録した画像を検索する検索工程と；
上記検索工程で検索した画像に対して、上記所定の処理を実行するように制御する制御工程と；
を有することを特徴とする画像処理方法。
【請求項１０】
請求項９において、
上記検索工程で検索した画像データについて、上記操作部を介して、所定の処理を実行するための条件を設定する条件設定工程を有し、
上記制御工程は、上記表示部による画像データの順次表示が終了した後に、上記条件設定工程を有効にし、上記操作部によって画像データについて条件設定が行われた場合に、上記所定の処理を実行するように制御する工程であることを特徴とする画像処理方法。
【請求項１１】
請求項１０において、
上記表示制御工程で行う画像データの順次表示を、一時停止する順次表示停止工程を有し、
上記制御工程は、上記順次表示停止手段が順次表示を一時停止した時点で、上記処理設定工程と上記条件設定工程とを有効にし、上記表示部に表示中の画像データついて、所定の処理と条件設定とを行った後に、上記処理設定工程と上記条件設定工程とを無効にし、上記順次表示停止工程による順次表示を再開するように制御する工程であることを特徴とする画像処理方法。
【発明の詳細な説明】
【技術分野】
【０００１】
本発明は、記憶媒体に記録されている画像データを読出し、順次表示する機能を有する画像処理装置に関する。
【背景技術】
【０００２】
最近、スキャナ、プリンタ、ＦＡＸ等が一体になっている複合画像処理装置（以下、「ＭＦＰ」という）に記憶媒体を挿入し、デジタル・スチル・カメラ（以下、「ＤＳＣ」という）を、ＭＦＰに直接接続することによって、画像データを取り込み、印刷する機能を搭載したＭＦＰが登場し、ＰＣを使用せずにＤＳＣで撮影した画像データを、印刷する需要が増加している。さらに、ＭＦＰに挿入した記憶媒体から読み出した画像データを再生して表示するための小型の液晶ディスプレイ（以下、「ＬＣＤ」という）を搭載した機種が増えている。
【０００３】
一方、記憶媒体に記憶されている静止画像を、ＬＣＤ等に順次表示するスライドショー機能を搭載することによって、パーソナル・コンピュータ（以下、「ＰＣ」という）無しでも、記憶媒体の中の画像データを、簡単に閲覧できる。
【０００４】
さらに、スライドショー機能を実行中に、所定の操作が検出された場合、その検出されたタイミングで、画像の表示を禁止する機能を有する画像処理装置も提案されている（たとえば、特許文献１参照）。
【特許文献１】特開２００３−２０９８０９号公報
【発明の開示】
【発明が解決しようとする課題】
【０００５】
しかし、特許文献１記載の発明は、画像再生装置として、あくまでも再生を禁止するものであり、ＭＦＰのような多機能な処理に対し、表示中の画像データに指示、設定するものではなく、ＭＦＰの持つ様々な機能と結び付けて、操作性を向上させるには至っていない。
【０００６】
この従来方法では、記憶媒体中に何十枚、何百枚とある画像データから、印刷させたい画像データを選び出し、印刷させることが容易ではない。
【０００７】
また、記憶媒体中の画像データを読み出し、ＬＣＤに順次表示させるスライドショーは、記憶媒体中の大量の画像データを自動的に一定間隔表示させることによって、記憶媒体中にどのような画像が存在するかを容易に確認できるが、表示中の画像と印刷処理等とを関連付けて操作性を向上させる等ができないという問題がある。
【０００８】
さらに、スライドショー実行中に、表示画像データついて、印刷やＦＡＸ送信、外部処理装置への転送等の処理を指示することができないという問題がある。
【０００９】
本発明は、ＭＦＰに搭載されたスライドショー機能を、ＭＦＰの持つ様々な機能と結び付け、操作性を向上させることができる画像処理装置を提供することを目的とする。
【課題を解決するための手段】
【００１０】
本発明は、記憶媒体から複数の画像データを順次読み出す読出手段と、上記読み出し手段から読み出された画像データを、表示手段に順次表示する表示制御手段と、上記表示手段に表示中の画像データについて、操作部から所定の処理を実行するように設定する処理設定手段と、上記表示中の画像データと、上記処理設定手段によって設定された所定の処理とを関連付けて登録する画像登録手段と、上記表示制御手段による画像データの順次表示が終了した場合、上記画像登録手段が登録した画像を検索する検索手段と、上記検索手段が検索した画像に対して、上記所定の処理を実行するように制御する制御手段とを有する画像処理装置である。
【発明の効果】
【００１１】
本発明によれば、スライドショー実行中に表示画像データに対して、印刷やＦＡＸ送信、外部処理装置への転送等の処理を指示することができ、また、それらの処理に必要な詳細な設定を行うことができ、しかも、ＭＦＰに搭載されたスライドショー機能とＭＦＰの持つ様々な機能とを結び付けてＭＦＰの操作性を向上させることができるという効果を奏する。
【発明を実施するための最良の形態】
【００１２】
発明を実施するための最良の形態は、以下の実施例である。
【実施例１】
【００１３】
図１は、本発明の実施例１であるＭＦＰ装置１００の構成を示すブロック図である。
【００１４】
ＭＦＰ装置１００は、ＣＰＵ１と、ＲＯＭ２と、ＲＡＭ３と、画像メモリ４と、データ変換部５と、読取制御部６と、読取部７と、操作表示制御部８と、表示部９と、通信制御部１０と、解像度変換処理部１１と、符号復号化処理部１２と、記録制御部１３と、記録部１４と、ＵＳＢファンクション制御部１５と、ＵＳＢホスト制御部１６と、メモリカードスロット１７と、メモリカード制御部１８とを有する。
【００１５】
ＣＰＵ１は、システム制御部であり、ＭＦＰ装置１００の全体を制御する。
【００１６】
ＲＯＭ２は、ＣＰＵ１が実行する制御プログラムや組み込みオペレーティングシステム（ＯＳ）プログラム等を格納する。実施例１では、ＲＯＭ２に格納されている各制御プログラムは、ＲＯＭ２に格納されている組み込みＯＳの管理下で、スケジューリングやタスクスイッチ等のソフトウエア制御を行う。
【００１７】
ＲＡＭ３は、ＳＲＡＭ（ｓｔａｔｉｃ  ＲＡＭ）等で構成され、プログラム制御変数等を格納し、また、オペレータが登録した設定値や、ＭＦＰ装置１００の管理データ等を格納し、各種ワーク用バッファ領域が設けられている。
【００１８】
画像メモリ４は、ＤＲＡＭ（ｄｙｎａｍｉｃ  ＲＡＭ）等で構成され、画像データを蓄積する。
【００１９】
データ変換部５は、ページ記述言語（ＰＤＬ）等の解析や、キャラクタデータのＣＧ（ｃｏｍｐｕｔｅｒ  ｇｒａｐｈｉｃｓ）展開等、画像データを変換する。
【００２０】
読取部７は、ＣＣＤやＣＩＳ等によって構成され、原稿を光学的に読み取り、電気的な画像データに変換した画像信号を、図示しない画像処理制御部を介して、２値化処理や中間調処理等の各種画像処理を施し、高精細な画像データを出力する。
【００２１】
読取制御部６は、原稿を搬送しながら読み取りを行うシート読取制御方式と、原稿台にある原稿をスキャンするブック読取制御方式の両制御方式に対応している。
【００２２】
操作表示制御部８は、数値入力キー、文字入力キー、ワンタッチ電話番号キー、モード設定キー、決定キー、取り消しキー等を備え、オペレータが画像送信相手先データの決定や設定データの登録動作を行う。
【００２３】
表示部９は、ＬＥＤ（発光ダイオード）とＬＣＤ（液晶ディスプレイ）等によって構成され、操作部８を介して、オペレータによる各種入力操作の表示や、ＭＦＰ装置１００の動作状況、ステータス状況の表示や、画像メモリ４に蓄積された画像データ表示等を実行する。
【００２４】
通信制御部１０は、ＭＯＤＥＭ（変復調装置）や、ＮＣＵ（網制御装置）等によって構成されている。実施例１では、通信制御部１０は、アナログの通信回線（ＰＳＴＮ）３１に接続され、Ｔ３０プロトコルでの通信制御、通信回線に対する発呼と着呼等の回線制御を行う。
【００２５】
解像度変換処理部１１は、画像データのミリ−インチ解像度変換等の解像度変換制御を行う。なお、解像度変換処理部１１において、画像データの拡大縮小処理も可能である。
【００２６】
符号復号化処理部１２は、ＭＦＰ装置１００で扱う画像データ（ＭＨ、ＭＲ、ＭＭＲ、ＪＢＩＧ、ＪＰＥＧ等）を符号復号化処理し、拡大縮小処理を行う。
【００２７】
記録制御部１３は、印刷される画像データについて、図示しない画像処理制御部を介して、スムージング処理や、記録濃度補正処理、色補正等の各種画像処理を施し、印刷用の画像データに変換し、画像メモリ４に蓄積する。また、定期的に記録部１４の状態情報データを取得する役割も果たす。
【００２８】
記録部１４は、レーザビームプリンタやインクジェットプリンタ等からなる印刷装置であり、記録制御部１３で変換され画像メモリ４に蓄積された印刷用の画像データを取り出し、カラー画像データ、またはモノクロ画像データを印刷部材に印刷する。
【００２９】
ＵＳＢファンクション制御部１５は、ＵＳＢインタフェースの通信制御を行い、ＵＳＢ通信規格に従って、プロトコル制御を行い、ＣＰＵ１が実行するＵＳＢ制御タスクからのデータを、パケットに変換し、外部の情報処理端末に、ＵＳＢパケット送信を行ったり、逆に、外部の情報処理端末からのＵＳＢパケットを、データに変換し、ＣＰＵ１に送信する。
【００３０】
ＵＳＢホスト制御部１６は、ＵＳＢ通信規格で定められたプロトコルで通信を行うための制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１６は、ＵＳＢ通信におけるホストの機能を有する。
【００３１】
メモリカードスロット１７は、ＵＳＢインタフェースを介して、ＵＳＢホスト制御部１６に接続され、着脱可能なメモリカードが装着される。
【００３２】
メモリカード制御部１８は、メモリカードスロット１７に装着されているメモリカードに格納されているデータファイルにアクセスし、読み出すことが可能である。
【００３３】
次に、スライドショー実行中の画像データに印刷処理を指示する場合におけるスライドショー処理１について説明する。
【００３４】
図２は、スライドショー実行中の画像データに印刷処理を指示する場合におけるスライドショー処理１を示すフローチャートである。
【００３５】
スライドショー開始を指示された場合、画像メモリ４に格納されている表示用の画像データを読み出し、表示部９に表示する（Ｓ１０１）。次に、何らかのキーが押下された場合に、特定の処理を指示するキーが押下されたかどうかを判断し（Ｓ１０２）、特定の処理を指示するキーが押下され、それが印刷指示であると判断されると、現在表示している画像データと印刷処理を表す情報とを関連付けて特定処理管理テーブルに登録し（Ｓ１０３）、Ｓ１０５へ移行する。特定の処理を指示するキーであると判断されなかった場合、所定の時間が経過したかどうかを判断し（Ｓ１０４）、所定の時間が経過していなければ、Ｓ１０２へ戻る。
【００３６】
所定の時間が経過した場合、順次表示処理している画像データを全て表示したかどうか等を判断し（Ｓ１０５）、未表示の画像データがあれば、次の表示用の画像データを、画像メモリ４から指定し（Ｓ１０６）、Ｓ１０１で、読み出して表示する。画像メモリ４に格納されている未表示データを全て表示した等で、順次表示処理を終了すると判断した場合、Ｓ１０７へ移行する。
【００３７】
Ｓ１０７では、特定処理管理テーブルを検索し、表示用画像データ分の検索が全て終了していなければ、印刷処理の登録があるかどうかを判断し（Ｓ１０８）、印刷処理の登録がなければ、特定処理管理テーブルの次の画像データ情報に移行する（Ｓ１１０）。印刷処理の登録があれば、印刷処理を実行し（Ｓ１０９）、特定処理管理テーブルの次の画像データ情報に移行する（Ｓ１１０）。
【００３８】
Ｓ１０７で、特定処理管理テーブルを検索し、特定の処理用画像データ分の検索が全て終了した場合、スライドショー処理１を終了する。
【００３９】
図３は、実施例１におけるスライドショー処理２を示すフローチャートである。
【００４０】
スライドショー開始を指示された場合、画像メモリ４に格納されている表示用の画像データを読み出し、表示部９が表示する（Ｓ２０１）。次に、何らかのキーが押下された場合、特定の処理を指示するキーが押下されたかどうかを判断し（Ｓ２０２）、特定の処理を指示するキーが押下され、それが印刷指示であると判断されれば、現在表示してある画像データと印刷処理を表す情報とを関連付けて特定処理管理テーブルに登録し（Ｓ２０３）、Ｓ２０５へ移行する。特定の処理を指示するキーではないと判断されれば、所定の時間が経過したかどうかを判断し（Ｓ２０４）、所定の時間が経過していなければ、Ｓ２０２へ戻る。
【００４１】
所定の時間が経過していた場合、順次表示処理している画像データを全て表示したか等を判断し（Ｓ２０５）、未表示の画像データがある場合等には、次の表示用の画像データを画像メモリ４から指定し（Ｓ２０６）、Ｓ２０１で読み出して表示する。画像メモリ４に格納されている未表示データを全て表示した等で、順次表示処理を終了すると判断すると、Ｓ２０７へ移行する。
【００４２】
Ｓ２０７では、特定処理管理テーブルを検索し、特定の処理用画像データ分の検索が全て終了していない場合、印刷処理の登録があるかどうかを判断し（Ｓ２０８）、印刷処理の登録がなければ、特定処理管理テーブルの次の画像データ情報に移行する（Ｓ２１３）。印刷処理の登録がある場合、処理詳細設定モードへ移行し、キーを受け付ける。Ｓ２０９では、詳細設定に関するキーが押下されたかどうかを判断し、詳細設定に関するキーが押下されれば、印刷処理を行う画像の処理に応じた詳細設定、たとえば印刷枚数、印刷解像度指定または印刷サイズの設定を行い（Ｓ２１０）、Ｓ２１１へ移行する。
【００４３】
詳細設定に関するキーが押下されていない場合、Ｓ２１１へ移行する。Ｓ２１１では、特定処理実行キーが押下されたかどうかを判断し、押下されたと判断しなければ、Ｓ２０９へ戻る。押下されたと判断した場合、特定処理を実行し（Ｓ２１２）、特定処理管理テーブルの次の画像データ情報に移行する（Ｓ２１３）。
【００４４】
Ｓ２０７で、特定処理管理テーブルを検索し、表示用画像データ分の検索が全て終了した場合、スライドショー処理２を終了する。
【００４５】
次に、実施例１におけるスライドショー処理３について説明する。
【００４６】
図４は、実施例１におけるスライドショー処理３を示すフローチャートである。
【００４７】
スライドショー開始を指示された場合、画像メモリ４に格納されている表示用の画像データを読み出し、表示部９が表示する（Ｓ３０１）。次に、何らかのキーが押下された場合、設定モードに移行するキーが、押下されたかどうかを判断し（Ｓ３０２）、設定モードに移行するキーではないと判断されると、所定の時間が経過したかどうかを判断し（Ｓ３０３）、所定の時間が経過していなければ、Ｓ３０２へ戻る。設定モードに移行するキーであると判断された場合、設定モードに移行し、設定モード画面を表示する（Ｓ３０４）。
【００４８】
Ｓ３０５では、詳細設定に関するキーが押下されたかどうかを判断し、詳細設定に関するキーが押下された場合には、特定処理を行う画像の処理に応じた詳細設定を行い（Ｓ３０６）、その設定を特定処理管理テーブルに登録し（Ｓ３０７）、Ｓ３０８へ移行する。詳細設定に関するキーが押下されていなければ、Ｓ３０８へ移行する。Ｓ３０８では、設定モード終了キーが押下されたかどうかを判断し、押下されたと判断すると、Ｓ３０９へ移行する。押下されていなければ、Ｓ３０５へ戻り、キーの受付を行う。
【００４９】
Ｓ３０９では、順次表示処理している画像データを全て表示したかどうか等を判断し、未表示の画像データがある場合等には、次の表示用の画像データを、画像メモリ４から指定し（Ｓ３１０）、Ｓ３０１で、読み出し、表示する。画像メモリ４に格納されている未表示データを全て表示した等で順次表示処理を終了すると判断した場合、Ｓ３１１へ移行する。
【００５０】
Ｓ３１１では、特定処理管理テーブルを検索し、表示用画像データ分の検索が全て終了していない場合、特定の処理の登録があるかどうかを判断し（Ｓ３１２）、特定の処理の登録がなければ、特定処理管理テーブルの次の画像データ情報に移行する（Ｓ３１４）。特定の処理の登録がある場合、特定処理を実行し（Ｓ３１３）、特定処理管理テーブルの次の画像データ情報に移行する（Ｓ３１４）。Ｓ３１１で、特定処理管理テーブルを検索し、表示用画像データ分の検索が全て終了した場合、スライドショー処理３を終了する。
【００５１】
図５は、本発明の実施例のスライドショー処理４を示すフローチャートである。
【００５２】
スライドショー開始を指示された場合、画像メモリ４に格納されている表示用の画像データを読み出し、表示部９が表示する（Ｓ４０１）。次に、何らかのキーが押下された場合に特定の処理を指示するキーが押下されたかどうかを判断し（Ｓ４０２）、特定の処理を指示するキーであると判断された場合、表示されている画像データについて、特定の処理を行うか否かを確認する画面を表示する（Ｓ４０４）。
【００５３】
この状態で何らかのキーを待ち受け、表示されている画像データに対して特定の処理を行うように登録するか否かのキーが押下されたかどうかを判断する（Ｓ４０５）。特定の処理を行わないように指示するキーが押下された場合、Ｓ４０３へ移行する。特定の処理を行うよう登録するキーが押下された場合、現在表示している画像データと、特定の処理を表す情報とを関連付けて、特定処理管理テーブルに登録し（Ｓ４０６）、Ｓ４０７へ移行する。Ｓ４０２では、特定の処理を指示するキーであると判断しない場合、所定の時間が経過したかどうかを判断し（Ｓ４０３）、所定の時間が経過していなければ、Ｓ４０２へ戻る。
【００５４】
所定の時間が経過した場合、順次表示処理している画像データを全て表示したか等を判断し（Ｓ４０７）、未表示の画像データがある場合等には、次の表示用の画像データを画像メモリ４から指定し（Ｓ４０８）、Ｓ４０１で読み出し、表示する。画像メモリ４に格納されている未表示データを全て表示した等で、順次表示処理を終了すると判断した場合、Ｓ４０９へ移行する。
【００５５】
Ｓ４０９では、特定処理管理テーブルを検索し、表示用画像データ分の検索が全て終了していなければ、特定の処理の登録があるかどうかを判断し（Ｓ４１０）、特定の処理の登録がなければ、特定処理管理テーブルの次の画像データ情報に移行する（Ｓ４１３）。特定の処理の登録があれば、処理詳細設定モードへ移行し、キーを受け付ける。
【００５６】
Ｓ４１１では、詳細設定に関するキーが押下されたかどうかを判断し、詳細設定に関するキーが押下されれば、特定処理を行う画像の処理に応じた詳細設定を行い（Ｓ４１２）、Ｓ４１３へ移行する。詳細設定に関するキーが押下されていない場合、Ｓ４１３へ移行する。Ｓ４１３では、特定処理実行キーが押下されたかどうかを判断し、押下されたと判断しない場合、Ｓ４１１へ戻る。押下されたと判断すれば、特定処理を実行し（Ｓ４１４）、特定処理管理テーブルの次の画像データ情報に移行する（Ｓ４１５）。
【００５７】
Ｓ４０９で特定処理管理テーブルを検索し、表示用画像データ分の検索が全て終了した場合、スライドショー処理４を終了する。
【００５８】
実施例１のスライドショー処理１、２、３、４において、上記特定処理は、印刷処理以外の処理として、たとえば、メモリカードスロット１７に装着された着脱可能なメモリカード内の画像データを消去する処理であり、画像メモリ４に蓄積された印刷用の画像データを取り出し、ＵＳＢファンクション制御部１５によって外部の情報処理端末に画像データを送信する処理であり、通信制御部１０によって、アナログの通信回線（ＰＳＴＮ）３１を介して、ファクシミリ送信を行う処理である。
【００５９】
実施例１によれば、記憶媒体内に記憶されている画像データを順次表示している間にも、上記検知手段がキーを検知し、特定の処理を指示するキーを識別した場合、特定の処理を指示する情報を、現在表示中の画像データの情報と関連付けて設定し、管理し、順次表示動作が終了したと判別した場合、処理情報テーブルから画像データ毎の特定の処理情報の有無を調べ、特定の処理情報があれば、処理情報に対応する処理を処理情報に関連付けられた画像データに対して行うことによって、記憶媒体中の沢山の画像データの中から所望の画像データを容易に選出し、所望の処理を行うように指示することが容易であり、スライドショーとＭＦＰの持つ様々な機能とを結び付けて、ＭＦＰの操作性を向上させることができる。
【００６０】
さらに、実施例１によれば、順次表示動作が終了したと判別した場合に、処理情報テーブルから画像データ毎の特定の処理情報の有無を調べ、特定の処理情報があれば、設定モードに移行し、特定の処理の詳細を設定するキーを受け付け、特定処理に対応した詳細設定を行うことを可能にしたので、詳細設定に従った特定処理を、処理情報に関連付けられた画像データに対して行うことによって、スライドショー中に押下されたキーによって、どの画像に対してどのような特定処理を行うようにしたかを再度確認できる。また、スライドショー中には行わなかった特定処理に対する詳細設定を行うことができ、操作性が向上する。
【００６１】
さらに、実施例１によれば、順次表示動作が終了したと判別した場合、処理情報テーブルから画像データ毎の特定の処理情報の有無を調べ、特定の処理情報があれば、設定モードに移行し、特定の処理の詳細を設定するキーを受け付け、特定処理に対応した詳細設定を行い、特定処理を実行するためのキーが押下された場合、詳細設定に従った特定処理を処理情報に関連付けられた画像データに対して行うので、スライドショー実行中に表示している画像データに対する特定処理と、その特定処理の詳細設定とを一度に実行することができ、操作性が向上する。
【００６２】
さらに、実施例１によれば、順次表示処理実行中は、画像データに対して特定の処理を指示するキーを受け付けず、設定モード移行を指示するキーであると識別した場合に、順次表示中断し、現在表示中の画像を表示し続けながら、キー操作を受け付ける設定モードに移行し、この状態の間だけ、画像データに対して特定の処理を指示するキーを受け付けるようにした。また、特定の処理を指示する情報を、現在表示中の画像データの情報と関連付けて設定し、管理し、設定モード中に受け付けられたキーが、順次表示再開を指示するキーであれば、順次表示処理を再開するので、スライドショー実行中に受け付けるキーを減らすことができ、誤操作を防ぎ、確実に設定モードに移行させてから、画像データに対する処理を指示することができる。
【図面の簡単な説明】
【００６３】
【図１】本発明の実施例１であるＭＦＰ装置１００の概略構成を示すブロック図である。
【図２】スライドショー実行中の画像データに印刷処理を指示する場合のスライドショー処理１を示すフローチャートである。
【図３】実施例１におけるスライドショー処理２を示すフローチャートである。
【図４】実施例１におけるスライドショー処理３を示すフローチャートである。
【図５】本発明の実施例のスライドショー処理４を示すフローチャートである。
【符号の説明】
【００６４】
１００…ＭＦＰ装置、
１…ＣＰＵ、
２…ＲＯＭ、
３…ＲＡＭ、
４…画像メモリ、
５…データ変換部、
６…読取制御部、
７…読取部、
８…操作表示制御部、
９…表示部、
１０…通信制御部、
１１…解像度変換処理部、
１２…符号復号化処理部、
１３…記録制御部、
１４…記録部、
１５…ＵＳＢファンクション制御部、
１６…ＵＳＢホスト制御部、
１７…メモリカードスロット、
１８…メモリカード制御部。
【図１】
2006115016.tif 000003
【図２】
2006115016.tif 000004
【図３】
2006115016.tif 000005
【図４】
2006115016.tif 000006
【図５】
2006115016.tif 000007